(57)【要約】【課題】  上下方向に選択的に取り付け可能な棚板に収納スペースを照らす照明器具を取り付けてもその配線が見えて見栄えが悪くなることがない収納箱を提供する。【解決手段】  棚板１を上下方向に選択的に取り付け可能な収納箱２である。棚板１の前端部下面に取り付けられる前板部４と該前板部４の下端部から後方に連設されて上下に貫通する挿通孔５１が形成された横板部５とからなる照明器具取付部３を棚板１に設け、前記横板部５の下面に照明器具８を取り付けるとともに、前記照明器具８の配線８１を横板部５の挿通孔５１に挿通して横板部５の上面に配線した。【選択図】        図１
2005177186.tif 000002
【特許請求の範囲】
【請求項１】
棚板を上下方向に選択的に取り付け可能な収納箱において、棚板の前端部下面に取り付けられる前板部と該前板部の下端部から後方に連設されて上下に貫通する挿通孔が形成された横板部とからなる照明器具取付部を棚板に設け、前記横板部の下面に照明器具を取り付けるとともに、前記照明器具の配線を横板部の挿通孔に挿通して横板部の上面に配線して成ることを特徴とする収納箱。
【請求項２】
横板部の縁部に下方へ突出するスカート部を形成して成ることを特徴とする請求項１記載の収納箱。
【発明の詳細な説明】
【技術分野】
【０００１】
本発明は、棚板を上下方向に選択的に取り付け可能な収納箱に関するものである。
【背景技術】
【０００２】
従来より、棚板を上下方向に選択的に取り付け可能な収納棚が用いられている。そして、このような収納棚の収納スペースを照らすため、上側の棚板の下面に照明器具を取り付けたものが考えられている（例えば特許文献１参照）
しかしながら、このような従来の収納棚においては、収納スペースの上天井となる上側の棚板の下面に照明器具を取り付けているので、照明器具からの配線も上側の棚板の下面に沿って見えてしまい、見栄えが悪いものであった。
【特許文献１】特開２００１−１１２５９０号公報
【発明の開示】
【発明が解決しようとする課題】
【０００３】
本発明はこのような点に鑑みなされたものであって、その目的とするところは、上下方向に選択的に取り付け可能な棚板に収納スペースを照らす照明器具を取り付けてもその配線が見えて見栄えが悪くなることがない収納箱を提供することを課題とするものである。
【課題を解決するための手段】
【０００４】
上記課題を解決するために請求項１に係る発明にあっては、棚板１を上下方向に選択的に取り付け可能な収納箱２において、棚板１の前端部下面に取り付けられる前板部４と該前板部４の下端部から後方に連設されて上下に貫通する挿通孔５１が形成された横板部５とからなる照明器具取付部３を棚板１に設け、前記横板部５の下面に照明器具８を取り付けるとともに、前記照明器具８の配線８１を横板部５の挿通孔５１に挿通して横板部５の上面に配線して成ることを特徴とするものである。このような構成とすることで、棚板１の下面に照明器具８を取り付けてもその配線が直接見えることがなくなって、見栄えが良くなるものである。
【０００５】
また、請求項２の発明は、請求項１の発明において、横板部５の縁部に下方へ突出するスカート部を形成して成ることを特徴とするものである。このような構成とすることで、横板部５の下面に取り付けられる照明器具８が前方から直接見えなくすることができる。
【発明の効果】
【０００６】
本発明にあっては、棚板の下面に照明器具を取り付けてもその配線が直接見えることがなくなって、見栄えが良くなるものである。
【発明を実施するための最良の形態】
【０００７】
以下、本発明の一実施形態について添付図面に基づいて説明する。
【０００８】
収納棚は、本実施形態においては、両側板７、背板（図示せず）、棚板１、天板（図示せず）、地板（図示せず）で主体が構成される矩形の箱状をした収納箱２で（図３参照）、前面に開口している。この収納箱２は通常は背板を部屋の壁面に沿うようにして配置される。
【０００９】
両側板７の内面には、後端部近傍に縦溝（図示せず）が形成してあり、背板の側端部が嵌入される。また、両側板７の内面には、棚板１を取り付けるためダボ孔等の取付孔７１が上下に多数段となるように等間隔に設けてあり、各段にはそれぞれ前端近傍に前側の取付孔７１が形成してあるとともに後端近傍に後側の取付孔７１が形成してある。この取付孔７１にはダボ等の取付具７２を嵌入して取り付けることができるようになっている。そして、棚板１の側端部の下面の前記取付孔７１に対応する部分には、ダボ等の取付具７２が挿入される凹所１１が形成してあり、両側板７の内面に形成した取付孔７１に嵌入して取り付けられた取付具７２に棚板１の凹所１１を被嵌して載置し、棚板１を両側板７間に架設するものである。
【００１０】
この収納箱２は、両側板７の縦溝に背板の両側端部をそれぞれ嵌入するとともに上下端部にそれぞれ天板と地板とを架設固定して外殻が形成される。天板と地板は、両側板７の内面の上端部に釘やビス等の固着具（図示せず）を用いるか接着剤を用いて固定される。
【００１１】
このような収納箱２において、その棚板１の下面に照明器具取付部３を取り付けるものである。照明器具取付部３は、棚板１の前端部近傍の下面に取り付けられる前板部４と、この前板部４の下端部から後方に連設される横板部５とで主体が構成される。本実施形態では更に、棚板１の側端部近傍の下面に側縦板部６が取り付けられ、また、照明器具取付部３の横板部５の縁部に下方へ突出するスカート部を形成してもよく、本実施形態では前板部４と側縦板部６とにスカート部４１，６３を一体に形成するもので、以下に説明する。
【００１２】
前板部４は、長手方向となる左右幅が棚板１の左右幅より若干短いか又はほぼ同じに形成される略矩形状をしたものである。また、側縦板部６は長手方向となる前後幅が棚板１の前後幅より若干短いか又はほぼ同じに形成される略矩形状をしたものである。また、横板部５は左右幅が前板部４の左右幅とほぼ同じで前後幅が側縦板部６の前後幅とほぼ同じとなる略矩形状をした板である。
【００１３】
この前板部４、側縦板部６、横板部５は組み立てられて照明器具取付部３が構成されるが、この時、横板部５は前板部４及び側縦板部６の上下長さの中間部に位置するように取り付けられ、前板部４及び側縦板部６の横板部５が取り付けられた部分よりも下側の部分はスカート部４１，６３となるものである。更に詳述すると、図２に示すように、横板部５の側端面にはダボのような突出部５３が形成してあるとともに、側縦板部６の上下方向の中間部の前記突出部５３に対応する位置に取付孔６２が穿設してあり、側縦板部６の前端面にダボのような突出部６１が形成してあるとともに前板部５の前記突出部６１に対応する位置に取付孔（特に図示せず）が形成してある。
【００１４】
そして、これら突出部５３を取付孔６２に嵌入するとともに前板部５の取付孔に側縦板部６の突出部６１を嵌入して照明器具取付部３が構成される。なお、前板部４、側縦板部６、横板部５は接着剤によって固着してもよい。そしてこの時、前板部５と側縦板部６の横板部５が取り付いた部分より下の部分はスカート部４１，６３となって、横板部５の下面に取り付けられる照明器具８が前方から直接見えないようにしている。
【００１５】
このように構成された照明器具取付部３は棚板１の下面にネジ等の固着具によって固着される。これには、横板部５に形成した固着具挿通孔に下方よりネジ等の固着具を挿通して棚板１の下面に固着するか、あるいは接着剤等によって固着する。
【００１６】
照明器具８は、棚板１の下面に取り付けられ、その配線８１は横板部５の挿通孔５１を挿通して上面側の配線スペースＳに導かれて配線が行われる。ここで、収納箱２に背板がある場合には、背板の対応する部分に挿通孔を形成して外部に配線を導出する。
【００１７】
以上のような構成によれば、棚板１を上下方向に選択的に取り付け可能な収納箱において、棚板１の下面に照明器具８を取り付けてもその配線が直接見えることがなくなって、見栄えが良くなるものである。
【図面の簡単な説明】
【００１８】
【図１】本発明の一実施形態の正面図である。
【図２】同上の照明器具取付部の分解斜視図である。
【図３】（ａ）（ｂ）（ｃ）は同上の収納箱への照明器具の取り付けを説明する説明図である。
【符号の説明】
【００１９】
１    棚板
２    収納箱
３    照明器具取付部
４    前板部
５    横板部
５１  挿通孔
８    照明器具
８１  配線
Ｓ    配線スペース
【図１】
2005177186.tif 000003
【図２】
2005177186.tif 000004
【図３】
2005177186.tif 000005